(57)【特許請求の範囲】
【請求項１】
コンクリート構造物の内面側の目地部を挟んで形成される継手装着用溝と、
この継手装着用溝に装着され両端碇着部が固定部材で固定される弾性部材で成形された耐震補強継手と、
前記継手装着用溝の隅角部又は側面に取り付けられる止水部材と、
前記耐震補強継手が装着された前記継手装着用溝に打設充填される無収縮モルタルとで構成され、
前記固定部材を、前記コンクリート構造物の補強配筋に連結するクリップで構成したことを特徴とするコンクリート構造物目地部の耐震補強継手構造。
【請求項２】
コンクリート構造物の内面側の目地部を挟んで形成される継手装着用溝と、
この継手装着用溝に装着され両端碇着部が固定部材で固定される弾性部材で成形された耐震補強継手と、
前記継手装着用溝の隅角部又は側面に取り付けられる止水部材と、
前記耐震補強継手が装着された前記継手装着用溝に打設充填される無収縮モルタルとで構成され、
前記固定部材を、Ｌ字状のあと施工用樹脂アンカーで構成し、先端部を予め前記コンクリート構造物に穿設した穴に固定するとともに、基端部を前記両端碇着部と平行に配置して前記打設される無収縮モルタルを補強する補強筋と兼用して構成したことを特徴とするコンクリート構造物目地部の耐震補強継手構造。
【請求項３】
前記耐震補強継手に、中間部に中空伸縮部を成形するとともに、前記両端碇着部に突起部を成形してなることを特徴とする請求項１または２記載のコンクリート構造物目地部の耐震補強継手構造。
【請求項４】
前記継手装着用溝を、前記耐震補強継手の中空伸縮部に対応する深溝部と、前記耐震補強継手の両端碇着部に対応する浅溝部とで構成してなることを特徴とする請求項３記載のコンクリート構造物目地部の耐震補強継手構造。
【請求項５】
前記止水部材を、水膨張ゴムと接着剤とで構成してなることを特徴とする請求項１〜４のいずれかに記載のコンクリート構造物目地部の耐震補強継手構造。
【請求項６】
前記耐震補強継手の両端碇着部に、前記無収縮モルタルとの接着強度を増大するブチルゴムを設けてなることを特徴とする請求項１〜５のいずれかに記載のコンクリート構造物目地部の耐震補強継手構造。
【請求項７】
コンクリート構造物の目地部の内面側に弾性部材で成形された耐震補強継手を施工するに際し、
前記目地部を挟んで前記耐震補強継手を装着する継手装着用溝を形成したのち、
この継手装着用溝に前記耐震補強継手を装着し、前記継手装着用溝内の前記コンクリート構造物の補強配筋に連結するクリップで構成した固定部材で前記耐震補強継手の両端碇着部をそれぞれ固定設置し、
前記継手装着用溝の隅角部又は側面に止水部材を取り付けたのち、
前記耐震補強継手が装着された前記継手装着用溝に無収縮モルタルを打設充填するようにしたことを特徴とするコンクリート構造物目地部の耐震補強継手の施工方法。
【請求項８】
コンクリート構造物の目地部の内面側に弾性部材で成形された耐震補強継手を施工するに際し、
前記目地部を挟んで前記耐震補強継手を装着する継手装着用溝を形成したのち、
この継手装着用溝に前記耐震補強継手を装着し、Ｌ字状のあと施工用樹脂アンカーで構成した固定部材の先端部を予め前記コンクリート構造物に穿設した穴に設置して前記耐震補強継手の両端碇着部をそれぞれ固定するとともに、当該固定部材の基端部を前記両端碇着部と平行に配置し、
当該継手装着用溝の隅角部又は側面に止水部材を取り付けたのち、
前記耐震補強継手が装着された前記継手装着用溝に無収縮モルタルを打設充填して前記Ｌ字状のあと施工用樹脂アンカーの基端部を補強筋と兼用して打設される無収縮モルタルを補強するようにしたことを特徴とするコンクリート構造物目地部の耐震補強継手の施工方法。
【請求項９】
前記耐震補強継手の中間部に中空伸縮部を成形し、前記継手装着用溝を、前記目地部を挟んで中空伸縮部用の深溝を形成するとともに、その両側に前記両端碇着部用の浅溝を形成するようにしたことを特徴とする請求項７または８記載のコンクリート構造物目地部の耐震補強継手の施工方法。
【請求項１０】
前記止水部材を水膨張ゴムと接着剤とで構成し、前記継手装着用溝の隅角部又は側面に水膨張ゴムを接着剤で貼り付けるようにしたことを特徴とする請求項７〜９のいずれかに記載のコンクリート構造物目地部の耐震補強継手の施工方法。
【発明の詳細な説明】
【技術分野】
【０００１】
この発明はコンクリート構造物目地部の耐震補強継手構造およびその施工方法に関し、水道施設の水路、配水池、給水池等の既設のコンクリート構造物の目地部の内面に耐震補強継手を設置する構造および耐震補強継手を施工する方法で、継手の一部がコンクリート構造物の内面に突き出さないようにしたものである。
【背景技術】
【０００２】
耐震補強継手を設置する必要があるコンクリート構造物の中には、水道施設の水路、配水池、給水池等があり、コンクリート構造物の内面に耐震補強継手を設置することが行われている。
【０００３】
従来のコンクリート構造物では、例えば図５に示すように、コンクリート構造物１の目地部２の両側を一部切欠いて特殊セメント系モルタル３を打設して基盤面を形成し、補強布４を目地部２を跨ぐように敷き、ゴムや合成ゴム等の弾性部材で製作され中間部に折り畳んだ伸縮部５ａを備えた伸縮部材５を配置して保護シート６で覆い、両端部５ｂ，５ｂ等を押え板７を介してあと施工用樹脂アンカー８で固定するようにしている（特許文献１参照）。
【特許文献１】特開平９−１４４１４８号公報
【発明の開示】
【発明が解決しようとする課題】
【０００４】
ところが、このようなコンクリート構造物の目地部の耐震継手構造では、伸縮部材５の伸縮により地震時の変位などを有効に吸収できるものの、コンクリート構造物の内面側に伸縮部材５や押え板７などが突き出しているため、水勾配や水路部などへの影響があるとともに、コンクリート構造物の内部の保守管理や点検の際の作業性が悪いという問題がある。
【０００５】
この発明は、かかる従来技術の問題に鑑みてなされたものであって、コンクリート構造物目地部の内面側への耐震補強継手を設置しても内面側への突き出しを無くすことができ、水勾配や水路への影響がなく、保守管理や点検も容易にできるコンクリート構造物目地部の耐震補強継手構造およびその施工方法を提供しようとするものである。
【課題を解決するための手段】
【０００６】
上記課題を解決するためこの発明の請求項１記載のコンクリート構造物目地部の耐震補強継手構造は、コンクリート構造物の内面側の目地部を挟んで形成される継手装着用溝と、この継手装着用溝に装着され両端碇着部が固定部材で固定される弾性部材で成形された耐震補強継手と、前記継手装着用溝の隅角部又は側面に取り付けられる止水部材と、前記耐震補強継手が装着された前記継手装着用溝に打設充填される無収縮モルタルとで構成され、前記固定部材を、前記コンクリート構造物の補強配筋に連結するクリップで構成したことを特徴とするものである。
このコンクリート構造物目地部の耐震補強継手構造によれば、コンクリート構造物の内面側の目地部を挟んで継手装着用溝を形成し、この継手装着用溝に弾性部材で成形された耐震補強継手を装着して両端碇着部を固定部材で固定し、継手装着用溝の隅角部又は側面に止水部材を取り付けて止水して継手装着用溝に無収縮モルタルを打設充填するようにしており、継手装着用溝内に耐震補強継手を設置することで、コンクリート構造物の内面側に何ら突き出すことなく設置できるようになる。これにより、耐震補強継手による水勾配や水路への影響を無くすとともに、平坦な内面により保守管理や点検等が容易にできるようになる。
また、前記固定部材を、前記コンクリート構造物の補強配筋に連結するクリップで構成してあり、クリップを補強配筋に連結することで、耐震補強継手を確実に固定できるようになる。
さらに、この発明の請求項２記載のコンクリート構造物目地部の耐震補強継手構造は、コンクリート構造物の内面側の目地部を挟んで形成される継手装着用溝と、この継手装着用溝に装着され両端碇着部が固定部材で固定される弾性部材で成形された耐震補強継手と、前記継手装着用溝の隅角部又は側面に取り付けられる止水部材と、前記耐震補強継手が装着された前記継手装着用溝に打設充填される無収縮モルタルとで構成され、前記固定部材を、Ｌ字状のあと施工用樹脂アンカーで構成し、先端部を予め前記コンクリート構造物に穿設した穴に固定するとともに、基端部を前記両端碇着部と平行に配置して前記打設される無収縮モルタルを補強する補強筋と兼用して構成したことを特徴とするものである。
このコンクリート構造物目地部の耐震補強継手構造によれば、コンクリート構造物の内面側の目地部を挟んで継手装着用溝を形成し、この継手装着用溝に弾性部材で成形された耐震補強継手を装着して両端碇着部を固定部材で固定し、継手装着用溝の隅角部又は側面に止水部材を取り付けて止水して継手装着用溝に無収縮モルタルを打設充填するようにしており、継手装着用溝内に耐震補強継手を設置することで、コンクリート構造物の内面側に何ら突き出すことなく設置できるようになる。これにより、耐震補強継手による水勾配や水路への影響を無くすとともに、平坦な内面により保守管理や点検等が容易にできるようになる。
また、前記固定部材を、予め前記コンクリート構造物に穿設した穴に固定するあと施工用樹脂アンカーで構成してあり、あと施工用樹脂アンカーの先端部を穴に挿入したり、たたき込むことで確実に耐震補強継手を固定できるとともに、基端部を補強筋と兼用して無収縮モルタルを補強できるようになる。
【０００７】
また、この発明の請求項３記載のコンクリート構造物目地部の耐震補強継手構造は、請求項１または２記載の構成に加え、前記耐震補強継手に、中間部に中空伸縮部を成形するとともに、前記両端碇着部に突起部を成形してなることを特徴とするものである。 
このコンクリート構造物目地部の耐震補強継手構造によれば、前記耐震補強継手に、中間部に中空伸縮部を成形するとともに、前記両端碇着部に突起部を成形してあり、中空伸縮部により地震時等の変位の吸収代を大きくでき、突起部により確実かつ強固に固定できるようにしている。
【０００８】
さらに、この発明の請求項４記載のコンクリート構造物目地部の耐震補強継手構造は、請求項３記載の構成に加え、前記継手装着用溝を、前記耐震補強継手の中空伸縮部に対応する深溝部と、前記耐震補強継手の両端碇着部に対応する浅溝部とで構成してなることを特徴とするものである。
このコンクリート構造物目地部の耐震補強継手構造によれば、前記継手装着用溝を、前記耐震補強継手の中空伸縮部に対応する深溝部と、前記耐震補強継手の両端碇着部に対応する浅溝部とで構成してあり、中空伸縮部と両端定着部を備えた耐震補強継手であっても確実に継手装着用溝内に納めることができるようになる。
【００１１】
また、この発明の請求項５記載のコンクリート構造物目地部の耐震補強継手構造は、請求項１〜４のいずれかに記載の構成に加え、前記止水部材を、水膨張ゴムと接着剤とで構成してなることを特徴とするものである。
このコンクリート構造物目地部の耐震補強継手構造によれば、前記止水部材を、水膨張ゴムと接着剤とで構成してあり、接着した水膨張ゴムによって確実に漏水を防止できるようになる。
【００１２】
さらに、この発明の請求項６記載のコンクリート構造物目地部の耐震補強継手構造は、請求項１〜５のいずれかに記載の構成に加え、前記耐震補強継手の両端碇着部に、前記無収縮モルタルとの接着強度を増大するブチルゴムを設けてなることを特徴とするものである。
このコンクリート構造物目地部の耐震補強継手構造によれば、前記耐震補強継手の両端碇着部に、前記無収縮モルタルとの接着強度を増大するブチルゴムを設けてあり、ブチルゴムによって無収縮モルタルと耐震補強継手との付着性を向上し、止水性を高めるようにしている。
【００１３】
また、この発明の請求項７記載のコンクリート構造物目地部の耐震補強継手構造の施工方法は、コンクリート構造物の目地部の内面側に弾性部材で成形された耐震補強継手を施工するに際し、前記目地部を挟んで前記耐震補強継手を装着する継手装着用溝を形成したのち、この継手装着用溝に前記耐震補強継手を装着し、前記継手装着用溝内の前記コンクリート構造物の補強配筋に連結するクリップで構成した固定部材で前記耐震補強継手の両端碇着部をそれぞれ固定設置し、前記継手装着用溝の隅角部又は側面に止水部材を取り付けたのち、前記耐震補強継手が装着された前記継手装着用溝に無収縮モルタルを打設充填するようにしたことを特徴とするものである。
このコンクリート構造物目地部の耐震補強継手の施工方法によれば、コンクリート構造物の目地部を挟んで耐震補強継手を装着する継手装着用溝を形成したのち、この継手装着用溝に前記耐震補強継手を装着して両端碇着部をそれぞれ固定部材で固定設置するとともに、当該継手装着用溝の隅角部又は側面に止水部材を取り付け、前記耐震補強継手が装着された前記継手装着用溝に無収縮モルタルを打設充填して施工するようにしており、継手装着用溝内に耐震補強継手を設置することで、コンクリート構造物の内面側に何ら突き出すことなく施工できるようになる。これにより、耐震補強継手による水勾配や水路への影響を無くすとともに、平坦な内面により保守管理や点検等が容易にできるようになる。
さらに、前記固定部材をクリップで構成し、前記継手装着用溝内の前記コンクリート構造物の補強配筋に連結するようにしており、クリップを介して補強配筋に連結することで確実に耐震補強継手を固定できるようになる。
また、この発明の請求項８記載のコンクリート構造物目地部の耐震補強継手構造の施工方法は、コンクリート構造物の目地部の内面側に弾性部材で成形された耐震補強継手を施工するに際し、前記目地部を挟んで前記耐震補強継手を装着する継手装着用溝を形成したのち、この継手装着用溝に前記耐震補強継手を装着し、Ｌ字状のあと施工用樹脂アンカーで構成した固定部材の先端部を予め前記コンクリート構造物に穿設した穴に設置して前記耐震補強継手の両端碇着部をそれぞれ固定するとともに、当該固定部材の基端部を前記両端碇着部と平行に配置し、当該継手装着用溝の隅角部又は側面に止水部材を取り付けたのち、前記耐震補強継手が装着された前記継手装着用溝に無収縮モルタルを打設充填して前記Ｌ字状のあと施工用樹脂アンカーの基端部を補強筋と兼用して打設される無収縮モルタルを補強するようにしたことを特徴とするものである。
このコンクリート構造物目地部の耐震補強継手の施工方法によれば、コンクリート構造物の目地部を挟んで耐震補強継手を装着する継手装着用溝を形成したのち、この継手装着用溝に前記耐震補強継手を装着して両端碇着部をそれぞれ固定部材で固定設置するとともに、当該継手装着用溝の隅角部又は側面に止水部材を取り付け、前記耐震補強継手が装着された前記継手装着用溝に無収縮モルタルを打設充填して施工するようにしており、継手装着用溝内に耐震補強継手を設置することで、コンクリート構造物の内面側に何ら突き出すことなく施工できるようになる。これにより、耐震補強継手による水勾配や水路への影響を無くすとともに、平坦な内面により保守管理や点検等が容易にできるようになる。
また、前記固定部材をあと施工用樹脂アンカーで構成し、前記継手装着用溝に予めアンカー用穴を穿設したのち、固定するようにしており、あと施工用樹脂アンカーによって耐震補強継手を確実に固定できるとともに、基端部を補強筋と兼用して無収縮モルタルを補強できるようになる。
【００１４】
さらに、この発明の請求項９記載のコンクリート構造物目地部の耐震補強継手構造の施工方法は、請求項７または８記載の構成に加え、前記耐震補強継手の中間部に中空伸縮部を成形し、前記継手装着用溝を、前記目地部を挟んで中空伸縮部用の深溝を形成するとともに、その両側に前記両端碇着部用の浅溝を形成するようにしたことを特徴とするものである。
このコンクリート構造物目地部の耐震補強継手の施工方法によれば、前記耐震補強継手の中間部に中空伸縮部を成形し、前記継手装着用溝を、前記目地部を挟んで中空伸縮部用の深溝を形成するとともに、その両側に前記両端碇着部用の浅溝を形成するようにしており、中空伸縮部により大きな変位の吸収ができるようになり、深溝と浅溝とによる継手装着用溝により、構造物内面への突き出しを防止して確実に耐震補強継手を装着固定できるようになる。
【００１７】
また、この発明の請求項１０記載のコンクリート構造物目地部の耐震補強継手構造の施工方法は、請求項７〜９のいずれかに記載の構成に加え、前記止水部材を水膨張ゴムと接着剤とで構成し、前記継手装着用溝の隅角部又は側面に水膨張ゴムを接着剤で貼り付けるようにしたことを特徴とするものである。
このコンクリート構造物目地部の耐震補強継手の施工方法によれば、前記止水部材を水膨張ゴムと接着剤とで構成し、前記継手装着用溝の隅角部又は側面に水膨張ゴムを接着剤で貼り付けるようにしており、継手装着用溝の隅角部又は側面に接着した水膨張ゴムで確実に漏水を防止でき、止水性を向上できるようになる。
【発明の効果】
【００１８】
この発明の請求項１記載のコンクリート構造物目地部の耐震補強継手構造によれば、コンクリート構造物の内面側の目地部を挟んで継手装着用溝を形成し、この継手装着用溝に弾性部材で成形された耐震補強継手を装着して両端碇着部を固定部材で固定し、継手装着用溝の隅角部又は側面に止水部材を取り付けて止水して継手装着用溝に無収縮モルタルを打設充填するようにしたので、継手装着用溝内に耐震補強継手を設置することで、コンクリート構造物の内面側に何ら突き出すことなく耐震補強継手を設置することができる。
これにより、耐震補強継手による水勾配や水路への影響を無くすことができるとともに、平坦な内面により保守管理や点検等を容易に行うことができる。
さらに、前記固定部材を、前記コンクリート構造物の補強配筋に連結するクリップで構成したので、クリップを補強配筋に連結することで、耐震補強継手を確実に固定することができる。
さらに、この発明の請求項２記載のコンクリート構造物目地部の耐震補強継手構造によれば、コンクリート構造物の内面側の目地部を挟んで継手装着用溝を形成し、この継手装着用溝に弾性部材で成形された耐震補強継手を装着して両端碇着部を固定部材で固定し、継手装着用溝の隅角部又は側面に止水部材を取り付けて止水して継手装着用溝に無収縮モルタルを打設充填したので、継手装着用溝内に耐震補強継手を設置することで、コンクリート構造物の内面側に何ら突き出すことなく設置することができる。これにより、耐震補強継手による水勾配や水路への影響を無くすとともに、平坦な内面により保守管理や点検等を容易に行うことができる。
また、前記固定部材を、予め前記コンクリート構造物に穿設した穴に固定するあと施工用樹脂アンカーで構成したので、あと施工用樹脂アンカーの先端部を穴に挿入したり、たたき込むことで確実に耐震補強継手を固定することができるとともに、基端部を補強筋と兼用して無収縮モルタルを補強することができる。
【００１９】
また、この発明の請求項３記載のコンクリート構造物目地部の耐震補強継手構造によれば、前記耐震補強継手に、中間部に中空伸縮部を成形するとともに、前記両端碇着部に突起部を成形したので、中空伸縮部により地震時等の変位の吸収代を大きくすることができ、突起部により確実かつ強固に固定することができる。
【００２０】
さらに、この発明の請求項４記載のコンクリート構造物目地部の耐震補強継手構造によれば、前記継手装着用溝を、前記耐震補強継手の中空伸縮部に対応する深溝部と、前記耐震補強継手の両端碇着部に対応する浅溝部とで構成したので、中空伸縮部と両端定着部を備えた耐震補強継手であっても確実に継手装着用溝内に納めることができ、内面側への突き出しを無くすことができる。
【００２３】
また、この発明の請求項５記載のコンクリート構造物目地部の耐震補強継手構造によれば、前記止水部材を、水膨張ゴムと接着剤とで構成したので、接着した水膨張ゴムによって継手装着用溝における漏水を確実に防止することができる。
【００２４】
さらに、この発明の請求項６記載のコンクリート構造物目地部の耐震補強継手構造によれば、前記耐震補強継手の両端碇着部に、前記無収縮モルタルとの接着強度を増大するブチルゴムを設けたので、ブチルゴムによって無収縮モルタルと耐震補強継手との付着性を向上し、止水性を高めることができる。
【００２５】
また、この発明の請求項７記載のコンクリート構造物目地部の耐震補強継手構造の施工方法によれば、コンクリート構造物の目地部の内面側に弾性部材で成形された耐震補強継手を施工する場合に、コンクリート構造物の目地部を挟んで耐震補強継手を装着する継手装着用溝を形成したのち、この継手装着用溝に前記耐震補強継手を装着して両端碇着部をそれぞれ固定部材で固定設置するとともに、当該継手装着用溝の隅角部又は側面に止水部材を取り付け、前記耐震補強継手が装着された前記継手装着用溝に無収縮モルタルを打設充填して施工するようにしたので、継手装着用溝内に耐震補強継手を設置することで、コンクリート構造物の内面側に何ら突き出すことなく施工することができる。
これにより、耐震補強継手による水勾配や水路への影響を無くすことができるとともに、平坦な内面にすることで、保守管理や点検等を容易に行うことができる。
さらに、前記固定部材をクリップで構成し、前記継手装着用溝内の前記コンクリート構造物の補強配筋に連結するようにしたので、クリップを介して補強配筋に連結することで確実に耐震補強継手を固定することができる。
また、この発明の請求項８記載のコンクリート構造物目地部の耐震補強継手構造の施工方法によれば、コンクリート構造物の目地部を挟んで耐震補強継手を装着する継手装着用溝を形成したのち、この継手装着用溝に前記耐震補強継手を装着して両端碇着部をそれぞれ固定部材で固定設置するとともに、当該継手装着用溝の隅角部又は側面に止水部材を取り付け、前記耐震補強継手が装着された前記継手装着用溝に無収縮モルタルを打設充填して施工するようにしたので、継手装着用溝内に耐震補強継手を設置することで、コンクリート構造物の内面側に何ら突き出すことなく施工することができる。これにより、耐震補強継手による水勾配や水路への影響を無くすとともに、平坦な内面により保守管理や点検等を容易に行うことができる。
また、前記固定部材をあと施工用樹脂アンカーで構成し、前記継手装着用溝に予めアンカー用穴を穿設したのち、固定するようにしたので、あと施工用樹脂アンカーによって耐震補強継手を確実に固定することができるとともに、基端部を補強筋と兼用して無収縮モルタルを補強することができる。
【００２６】
さらに、この発明の請求項９記載のコンクリート構造物目地部の耐震補強継手構造の施工方法によれば、前記耐震補強継手の中間部に中空伸縮部を成形し、前記継手装着用溝を、前記目地部を挟んで中空伸縮部用の深溝を形成するとともに、その両側に前記両端碇着部用の浅溝を形成するようにしたので、中空伸縮部により大きな変位を吸収することができ、深溝と浅溝とによる継手装着用溝により、構造物内面への突き出しを防止して確実に耐震補強継手を装着固定することができる。
【００２９】
また、この発明の請求項１０記載のコンクリート構造物目地部の耐震補強継手構造の施工方法によれば、前記止水部材を水膨張ゴムと接着剤とで構成し、前記継手装着用溝の隅角部又は側面に水膨張ゴムを接着剤で貼り付けるようにしたので、継手装着用溝の隅角部又は側面に接着した水膨張ゴムで確実に漏水を防止することができ、止水性を向上することができる。
【発明を実施するための最良の形態】
【００３０】
以下、この発明の実施の形態について、図面に基づき詳細に説明する。  
図１〜図３はこの発明のコンクリート構造物目地部の耐震補強継手構造およびその施工方法の一実施の形態にかかり、図１は耐震補強継手構造の断面図、図２および図３は耐震補強継手の施工方法の各工程図である。
【００３１】
このコンクリート構造物目地部の耐震補強継手構造２０は、水道施設の水路、配水池、給水池などの既設のコンクリート構造物１の目地部２の内側に耐震補強継手２１を埋設した状態で施工する構造であり、例えば図５（ａ）に示すコンクリート構造物１では、躯体内空面１ａの耐震継手基準面１ｂを基準として図示しない目地部の内面側に耐震補強継手が施工され、内面側には、何ら突き出すことなく平坦面にするものである。
【００３２】
このコンクリート構造物目地部の耐震補強継手構造２０（以下、単に耐震補強継手構造２０と略記する。）には、図１に横断面構造を示すように、耐震補強継手２１としてゴムや合成ゴム、あるいは合成樹脂などの弾性部材で成形されたものが用いられ、板状の中間部に下方に突き出して略中空矩形の伸縮部２１ａを備え、その両端部に板状の碇着部２１ｂ，２１ｂが一体に成形され、伸縮部２１ａの上辺部が他の辺部に比べて肉薄とされる一方、両端碇着部２１ｂ，２１ｂの上面には、略台形状の突起部２１ｃがそれぞれ２条ずつ成形されるとともに、端縁部に固定用穴２１ｄが一定の間隔で形成してある。この耐震補強継手２１は、両端碇着部２１ｂ，２１ｂの下面が耐震継手基準面に設置され、この状態で、上面に突起部２１ｃが突き出し、下面に伸縮部２１ａが突き出すように成形されている（なお、ここでの上下は形状の説明の都合上の上下であり、施工状態での上下を表すものでなく、図示例の上向きのほか、横向きや下向きなどで施工することができるものである。）。
【００３３】
このような耐震補強継手２１を用いる耐震補強継手構造２０について、その施工方法とともに説明する。  
まず、コンクリート構造物１の目地部２を挟んで、図２（ａ）に示すように、継手装着用溝２２が形成され、目地部２の両側に深溝部２２ａが形成されて耐震補強継手２１の伸縮部２１ａを収納可能な深さとされ、この深溝部２２ａの両側に浅溝部２２ｂがそれぞれ形成されて耐震補強継手２１の両端碇着部２１ｂを収納できる深さとされるとともに、浅溝部２２ｂの底面が耐震継手基準面１ｂとなるようにしてある。この状態では、コンクリート構造物１の内表面に最も近い補強配筋１ｃが露出する状態となっている。また、この継手装着用溝２２の深溝部２２ａや浅溝部２２ｂの幅は、耐震補強継手２１の伸縮部２１ａや両端碇着部２１ｂに対して余裕を持って装着できるように広幅としてある。
【００３４】
この継手装着用溝２２は、コンクリートカッターで浅溝部２２ｂの両端縁に沿って切込みを入れた後、はつること（削り取ること）で形成し、継手装着用溝２２の表面はチッピング処理などで粗面に仕上げられる。  
そして、この継手装着用溝２２に耐震補強継手２１の固定用穴２１ｄに対応して一定間隔で穴を穿孔する。
【００３５】
次に、継手装着用溝２２に、図２（ｂ）に示すように、耐震補強継手２１を仮置きした後、図３（ａ）に示すように、固定用穴２１ｄに挿入式やたたき込み式のあと施工用樹脂アンカー２３を入れてコンクリート構造物１に打設し固定する。このあと施工用樹脂アンカー２３としては、図示例のように、Ｌ字状のものを用いることで、下端部での耐震補強継手２１の固定と同時に、上端部を耐震補強継手２１の両端碇着部２１ｂと平行に配置することで、後工程で打設充填される無収縮モルタル２７を補強する補強筋と兼用することができる。
【００３６】
また、この耐震補強継手２１の両端碇着部２１ｂ，２１ｂの表面の突起部２１ｃの両側にブチルゴム２４が貼り付けてあり、これにより、後工程で打設充填される無収縮モルタル２７との付着性を向上する。
【００３７】
さらに、継手装着用溝２２の隅角部又は側面２２ｃには、止水部材２５として帯状の水膨張ゴムが接着剤で貼り付けてあり、隙間からの漏水を防止し、止水性を確保できるようにしてある。なお、この止水部材２５の取り付けは、耐震補強継手２１の取り付け前に行うようにしても、並行して行うようにしても良い。
【００３８】
次に、継手装着用溝２２に耐震補強継手２１を装着し固定した後、図３（ｂ）に示すように、目地部２の延長線上に目地材２６を仮固定した後、継手装着用溝２２の先行側および後行側の空間にグラウト材として無収縮モルタル２７を打設充填し、深溝部２２ａおよび浅溝部２２ｂを無収縮モルタル２７で埋め戻し、コンクリート構造物１の内表面と連続する平坦面となるようにする。
【００３９】
このような耐震補強継手構造２０によれば、継手装着用溝２２内に耐震補強継手２１を設置して無収縮モルタル２７で覆うようにしたので、コンクリート構造物１の躯体内空面１ａには、何ら突き出す部分がなく平坦となり、水勾配や水路部に影響を及ぼすことがなく、保守管理や点検時も平坦面に対して行うことで、作業性を向上することができる。
【００４０】
また、この耐震補強継手構造２０では、耐震補強継手２１の固定は、従来のアンカーボルトの軸力強度による固定ではなく、Ｌ字状のあと施工用樹脂アンカー２３を介して既設コンクリート構造物１と打設充填する無収縮モルタル２７とを一体化することで固定される。
【００４１】
したがって、Ｌ字状のあと施工用樹脂アンカー２３は、軸力強度を必要としないので、施工の際に専門の技量を必要とせず、有資格者による作業をしなくても済み、簡単に施工することができる。
【００４２】
また、Ｌ字状のあと施工用樹脂アンカー２３を、無収縮モルタル２７を補強する補強筋として機能させることができ、補強のための差し筋を追加設置する必要もなく、工期を短縮して施工することができる。
【００４３】
さらに、この耐震補強継手構造２０によれば、継手装着用溝２２の隅角部又は側面２２ｃに止水部材２５として水膨張ゴムを接着剤で貼り付けるようにするとともに、耐震補強継手２１の両端碇着部２１ｂの表面にブチルゴム２４を設けるようにしたので、後打ちの無収縮モルタル２７のコンクリート構造物１や耐震補強継手２１との接着強度を高めることができ、コンクリート構造物の内外面からの漏水を防止して止水性を向上することができる。
【００４４】
また、この耐震補強継手構造２０によれば、継手装着用溝２２を形成して耐震補強継手２１を装着して無収縮モルタル２７を打設充填するようにしても、耐震補強継手２１の伸縮部２１ａがコンクリート構造物の外側に向けて配置してあるので、継手装着用溝２２にほぼ当初のコンクリート構造物と同一の被り量（コンクリート厚さ）を確保することができる。これにより、コンクリート構造物の強度や補強配筋の腐食などの問題が生じることなく、施工前後で同一の性能を確保しつつ耐震補強を施すことができる。
【００４５】
次に、この発明のコンクリート構造物目地部の耐震補強継手構造およびその施工方法の他の実施の形態について、図４により説明する。なお、すでに説明した実施の形態と同一部分には、同一記号を記し重複する説明は省略する。
【００４６】
この耐震補強継手構造２０Ａでは、耐震補強継手２１を固定する固定部材が異なるもので、上記実施の形態のＬ字状のあと施工用樹脂アンカー２３に替え、クリップ２８を用いる。
【００４７】
このクリップ２８は、金属線材、例えば軟鋼線材（ＳＷＲＭ）で作られ、一端部を耐震補強継手２１の固定用穴２１ｄに引っ掛けるとともに、他端部を継手装着用溝２２に露出している補強配筋１ｃに引っ掛けるようにすることで、耐震補強継手２１を固定状態とする。
【００４８】
そして、この耐震補強継手構造２０Ａでは、後打ちの無収縮モルタル２７の補強のため、継手装着用溝２２の浅溝部２２ｂの側壁部に差し筋２９用の挿入穴が一定間隔で穿設され、一端部を挿入穴に挿入又はたたき込んだ差し筋２９の他端部が両端定着部２１ｂと平行となるように配筋して補強する。
【００４９】
また、コンクリート構造物１の補強配筋１ｃを耐震補強継手２１の固定に利用することから、継手装着用溝２２の深溝部２２ａの幅を耐震補強継手２１の伸縮部２１ａの幅より僅かに広くする程度とし、補強配筋１ｃがこの部分で露出しないようにしてある。
【００５０】
なお、他の耐震補強継手構造２０Ａおよびその施工方法は、すでに説明した耐震補強継手構造２０およびその施工方法と固定部材が異なる以外、同一であるので、その説明は省略する。
【００５１】
このようなクリップ２８を固定部材として用いることで、耐震補強継手２１を継手装着用溝２２に固定することができ、差し筋２９を用いて補強することで、耐震補強継手２１をコンクリート構造物１の内面側に何ら突き出させることなく、施工することができる。
これにより、すでに説明した耐震補強継手構造２０と同一の作用効果を奏するものとなる。
【００５２】
なお、耐震補強継手として伸縮部が中空矩形状のものを例に説明したが、これに限らず、他の形状のものであっても良く、中間部に伸縮部を備えかつ両端部に碇着部を有するものであれば良い。
【図面の簡単な説明】
【００５３】
【図１】この発明のコンクリート構造物目地部の耐震補強継手構造の一実施の形態にかかる横断面図である。
【図２】この発明のコンクリート構造物目地部の耐震補強継手の施工方法の一実施の形態にかかる前半の工程図である。
【図３】この発明のコンクリート構造物目地部の耐震補強継手の施工方法の一実施の形態にかかる後半の工程図である。
【図４】この発明のコンクリート構造物目地部の耐震補強継手構造の他の一実施の形態にかかる横断面図である。
【図５】コンクリート構造物の横断面図および従来の耐震補強継手の横断面図である。
【符号の説明】
【００５４】
１          コンクリート構造物
１ａ        躯体内空面
１ｂ        耐震継手基準面
１ｃ        補強配筋
２          目地部
２０        コンクリート構造物目地部の耐震補強継手構造
２１        耐震補強継手
２１ａ      伸縮部
２１ｂ      両端碇着部
２１ｃ      突起部
２１ｄ      固定用穴
２２        継手装着用溝
２２ａ      深溝部
２２ｂ      浅溝部
２２ｃ      隅角部又は側面
２３        あと施工用樹脂アンカー（固定部材）
２４        ブチルゴム
２５        止水部材（水膨張ゴムおよび接着剤）
２６        目地材
２７        無収縮モルタル
２８        クリップ（固定部材）
２９        差し筋
【図１】
0005078678.tif 000002
【図２】
0005078678.tif 000003
【図３】
0005078678.tif 000004
【図４】
0005078678.tif 000005
【図５】
0005078678.tif 000006